【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
第１の保持プロファイル（３）が配置される側辺（２）を有する第１のパネル（１）であって、前記第１の保持プロファイル（３）が前記第１のパネル（１）の高さ（ＨＢ）より小さい高さ（ＨＢ−ＨＰＭ１）を有する第１の突出部材（８）を備え、前記第１の保持プロファイル（３）が、レベルＨＴＯＰからＨＴＯＰとＨＰＭ１との間のレベルＨＲまで、その側辺（２）の長さに沿って前記側辺（２）から延在する突縁（２３）を備え、前記突縁（２３）自体が第１の溝（１０）の上で部分的に延在する、第１のパネル（１）と、
前記第１の保持プロファイル（３）に接合できる第２の保持プロファイル（６）が配置される側辺（５）を有する第２のパネル（４）であって、前記第２の保持プロファイル（６）が、前記第２のパネル（４）の高さ（ＨＢ）より小さい高さ（ＨＰＭ２）を有する第２の突出部材（１３）を備える、第２のパネル（４）と、
前記第１の突出部材（８）の自由端に配置されて（ＨＢ−ＨＰＭ１）より大きく（ＨＢ）より小さい高さ（ＨＢ−ＨＴ１）を有し、第１の有歯部（９）と、前記側辺（２）と前記第１の有歯部（９）との間で延在する前記第１の突出部材（８）の頂面（１１）と、前記第１のパネルの前記側辺（２）との間の第１の溝（１０）を画定する第１の有歯部（９）と、
前記第２の突出部材（１３）の自由端に配置される第２の有歯部（１４）であって、前記第２の有歯部（１４）が前記第１の溝（１０）と協働するように構成され、前記第２の有歯部（１４）が前記第２のパネル（４）の前記側辺（５）から離れた側の前記第２の有歯部（１４）の表面に溝（２１）を備える、第２の有歯部（１４）と、
前記第１の保持プロファイル（３）に取り付けられ、
前記第１の溝（１０）に設置される基部（１６）と、
前記基部（１６）の第１の辺から延在し、前記有歯部（９）によって画定される前記溝（１０）の辺に沿って配置される第１の当接部（１７）であって、前記第１の当接部（１７）が前記第１の溝（１０）に面する当接面（１８）を画定する、第１の当接部（１７）と、
前記第１の辺の反対側の前記基部（１６）の第２の辺から延在し、前記第１のパネル（１）の前記側辺に沿って前記溝（１０）に設置される第２の当接部（１９）であって、前記第２の当接部（１９）が、その自由端で縁（２２）を備え、前記第１のパネル（１）の前記側辺（２）から離れる方向に延在し、それにより、前記係止プロファイルの縁（２２）が、２枚のパネルの接合時、前記第２の保持プロファイル（６）の前記溝（２１）にはめ込まれる、第２の当接部（１９）と
を備える係止プロファイル（１５）と
を備え、
前記係止プロファイル（１５）が前記第１の有歯部（９）に少なくとも部分的に取り付けられ、
前記第１の溝（１０）およびその中に取り付けられる前記係止プロファイル（１５）が、前記係止プロファイル（１５）の前記基部（１６）に沿って設置される旋回軸（２５）を確立するように構成され、
前記係止プロファイル（１５）の前記基部（１６）に面する前記第１の突出部材（８）の表面（１１）が、２つの隣接するプロファイルの接合時、前記係止プロファイル（１５）が前記支持部（１１ａ）と前記第２の有歯部（１４）との間に堅く挟まれるように延在する支持部（１１ａ）と、２つの隣接するプロファイルの接合時、空隙が前記表面（１１）と、前記第２の有歯部（１４）と、前記係止プロファイル（１５）との間に存続するように設置される第２のセクション（１１ｂ）とを備え、それによって、前記第１の旋回軸（２５）を作成する、
パネルの組。
【請求項２】
前記第１の有歯部（９）が、前記第１のパネル（１）の前記側辺（２）から離れた側のその表面に第１の溝または切下げ（１２）を備え、
前記係止プロファイル（１５）が、前記第１の有歯部の前記自由端の前記溝または切下げ（１２）に延在する挟持部（２０）を備える、請求項１に記載のパネルの組。
【請求項３】
前記係止プロファイル（１５）が、接着剤で前記第１の有歯部（９）に取り付けられる、請求項１または２に記載のパネルの組。
【請求項４】
前記係止プロファイル（１５）が一体で製造される、請求項１〜３のいずれか一項に記載のパネルの組。
【請求項５】
前記係止プロファイル（１５）が、金属材料、好ましくはアルミニウムまたはばね鋼、あるいは、ポリマー材料、好ましくは繊維強化ポリマー材料で製造される、請求項１〜４のいずれか一項に記載のパネルの組。
【請求項６】
前記第１の溝（１０）およびその中に取り付けられる前記係止プロファイル（１５）が、前記基部（１６）および前記第２の当接部（１９）の移行部、または前記第２の当接部（１９）に沿って設置される旋回軸（２６）を確立するように構成される、請求項１〜５のいずれか一項に記載のパネルの組。
【請求項７】
前記係止プロファイル（１５）が非緊張位置にあるとき、前記係止プロファイルの前記第２の当接部（１９）と前記第１のパネル（１）の前記側辺（２）との間に自由空間が残るような前記溝（１０）および係止プロファイル（１５）の寸法である、請求項１〜６のいずれか一項に記載のパネルの組。
【請求項８】
前記縁（２２）が、前記第１のパネルの前記側辺（２）に略垂直な方向に圧縮可能である、請求項１に記載のパネルの組。
【請求項９】
前記縁（２２）が、前記第１のパネル（１）の前記側辺（２）に略垂直な方向への前記縁（２２）の圧縮を可能にする旋回軸を備える、請求項８に記載のパネルの組。
【請求項１０】
前記第１および第２の保持プロファイル（３、６）が、前記パネル（１、４）の短辺上に設けられる、請求項１〜９のいずれか一項に記載のパネルの組。
【請求項１１】
前記第１および第２の保持プロファイル（３、６）が、前記パネル（１、４）の長辺上に設けられる、請求項１〜１０のいずれか一項に記載のパネルの組。
【請求項１２】
前記第１の溝（１０）、前記係止プロファイル（１５）、および前記第２の有歯部（１４）が、前記第１のパネルに対する前記第２のパネルの並進運動のみによって、前記第１のパネルへの前記第２のパネルの係止を可能にするように構成される、請求項１〜１１のいずれか一項に記載のパネルの組。
【請求項１３】
第１の保持プロファイル（３）が配置される側辺（２）を有する第１のパネル（１）であって、前記第１の保持プロファイル（３）が前記第１のパネル（１）の高さ（ＨＢ）より小さい高さ（ＨＢ−ＨＰＭ１）を有する第１の突出部材（８）を備え、前記第１の保持プロファイル（３）が、レベルＨＴＯＰからＨＴＯＰとＨＰＭ１との間のレベルＨＲまで、その側辺（２）の長さに沿って前記側辺（２）から延在する突縁（２３）を備え、前記突縁（２３）自体が第１の溝（１０）の上で部分的に延在する、第１のパネル（１）と、
前記第１の保持プロファイル（３）に接合できる第２の保持プロファイル（６）が配置される側辺（５）を有する第２のパネル（４）であって、前記第２の保持プロファイル（６）が、前記第２のパネル（４）の高さ（ＨＢ）より小さい高さ（ＨＰＭ２）を有する第２の突出部材（１３）を備える、第２のパネル（４）と、
前記第１の突出部材（８）の自由端に配置されて（ＨＢ−ＨＰＭ１）より大きく（ＨＢ）より小さい高さ（ＨＢ−ＨＴ１）を有し、第１の有歯部（９）と、前記側辺（２）と前記第１の有歯部（９）との間で延在する前記第１の突出部材（８）の頂面（１１）と、前記第１のパネルの前記側辺（２）との間の第１の溝（１０）を画定する第１の有歯部（９）と、
前記第２の突出部材（１３）の自由端に配置される第２の有歯部（１４）であって、
前記第２の有歯部（１４）が前記第１の溝（１０）と協働するように構成され、
前記第２の有歯部が、前記第２のパネルの前記側辺（５）から離れた側の前記第２の有歯部（１４）の表面に溝（２１）を備える、第２の有歯部（１４）と、
前記第１の保持プロファイル（３）上に取り付けられるように構成され、
前記第１の溝（１０）に設置される基部（１６）と、
前記基部（１６）の第１の辺から延在し、前記有歯部（９）によって画定される前記溝（１０）の辺に沿って配置される第１の当接部（１７）であって、前記第１の当接部（１７）が前記第１の溝（１０）に面する当接面（１８）を画定する、第１の当接部（１７）と、
前記第１の辺の反対側の前記基部（１６）の第２の辺から延在し、前記第１のパネルの前記側辺に沿って前記溝（１０）に設置される第２の当接部（１９）であって、前記第２の当接部（１９）が、その自由端で縁（２２）を備え、前記第１のパネル（１）の前記側辺（２）から離れる方向に延在し、それにより、前記係止プロファイルの縁（２２）は、２枚のパネルの接合時、前記第２の保持プロファイル（６）の前記溝（２１）にはめ込まれる、第２の当接部（１９）と、
を備える係止プロファイル（１５）と、
を備え、
前記第１の溝（１０）およびその中に取り付けられる前記係止プロファイル（１５）が、前記係止プロファイル（１５）の前記基部（１６）に沿って設置される旋回軸（２５）を確立するように構成され、
前記係止プロファイル（１５）の前記基部（１６）に面する前記第１の突出部材（８）の表面（１１）が、２つの隣接するプロファイルの接合時、前記係止プロファイル（１５）が前記支持部（１１ａ）と前記第２の有歯部（１４）との間に堅く挟まれるように延在する支持部（１１ａ）と、２つの隣接するプロファイルの接合時、空隙が前記表面（１１）と、前記第２の有歯部（１４）と、前記係止プロファイル（１５）との間に存続するように設置される第２のセクション（１１ｂ）とを備え、それによって、前記第１の旋回軸（２５）を作成する、
パネルの組の２枚の隣接するパネルを係止するための係止プロファイル（１５）の使用。